【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
無線端末に広告を提供する方法であって、
機能を無線端末から起動することと、
前記無線端末から、前記機能に関連付けられた位置ベースサービスに登録することと、
前記機能のユーザプロフィールを作成することと、ここで、前記機能のユーザプロフィールを作成することは、少なくとも１つの所望の候補の特徴を特定する所望のプロフィールを作成することを含み、
前記無線端末によって、前記位置ベースサービスに登録された無線端末のユーザが利用できるグループイベントに登録することと、
前記グループイベントへの無線端末の登録及び前記無線端末または前記グループイベントの地理的位置に基づいて、製品又はサービスの広告を提示することと、
アクティビティ地図を前記機能に関連付けることとを備え、
前記無線端末の地理的位置に基づいて広告を提示することは、前記関連付けられたアクティビティ地図上に示されている前記無線端末に基づき、前記アクティビティ地図は、他のアクティブユーザの位置履歴統計量の少なくとも１つのセット、又は、前記プロフィールに一致する少なくとも１つの候補を表示する方法。
【請求項２】
前記無線端末の地理的位置が、全地球測位システム（ＧＰＳ）に基づく請求項１に記載の方法。
【請求項３】
前記機能のユーザプロフィールを作成することは、前記機能を起動するユーザプロフィールを作成することを含む、請求項２に記載の方法。
【請求項４】
前記所望の候補の特徴を特定することは、前記候補のユーザ定義された特徴を特定することを含む請求項１に記載の方法。
【請求項５】
前記候補を選択することを更に備える請求項４に記載の方法。
【請求項６】
前記候補に前記選択を通知することを更に備える請求項５に記載の方法。
【請求項７】
前記通知することは、行動の提案を示唆する、請求項６に記載の方法。
【請求項８】
前記候補が、前記行動の提案を受諾することを可能にすることを更に備える請求項７に記載の方法。
【請求項９】
前記広告を提示することは、前記受諾に応答して実行される請求項８に記載の方法。
【請求項１０】
モバイルデバイスにおけるソーシャルネットワーキングおよびターゲット広告のためのシステムであって、
命令群を保持するメモリに結合された少なくとも１つのプロセッサを備え、前記命令群は、
ユーザの無線端末の地理的位置を決定する位置ベースサービス構成要素と、
前記ユーザの無線端末に関連付けられたプロフィールを保持するソーシャルネットワーキング構成要素と、ここで、前記プロフィールは、少なくとも１つの所望の候補の特徴を特定する所望のプロフィールを含み、
前記位置ベースサービス構成要素と、前記無線端末又はグループイベントの地理的位置とに登録された無線端末のユーザが利用できるグループイベントに登録されているユーザに少なくとも部分的に基づいて、無線ネットワークによって、製品又はサービスの広告のうちの少なくとも１つを含むデータを、前記ユーザの無線端末に送信する広告サーバ構成要素と、ここで、前記データは、アクティビティ地図に関連付けられ、前記データの提示は、前記アクティビティ地図上に示された無線端末の地理的位置に基づく、
のための命令群である、システム。
【請求項１１】
前記ソーシャルネットワーキング構成要素は、前記ユーザの地理的位置およびプロフィールに少なくとも部分的に基づいて、前記ユーザと少なくとも１人の他ユーザとの相性を定量化するマッチャエンジン構成要素を含む、請求項１０に記載のシステム。
【請求項１２】
前記ソーシャルネットワーキング構成要素によって、前記ユーザは、少なくとも１人の他ユーザをインスタントデートに誘うことができ、ここで、前記ユーザと少なくとも１人の他ユーザとの相性は、第１のしきい値以上である、請求項１１に記載のシステム。
【請求項１３】
前記ユーザのプロフィールは、年齢、身長、体重、性別、人種、民族、宗教、教育、および趣味のうちの少なくとも１つを含む、請求項１０に記載のシステム。
【請求項１４】
前記ソーシャルネットワーキング構成要素は、開催地指定交際機能を含み、前記ユーザは、開催地に関連付けられたグループに加入し、他のグループメンバのモバイル端末に通信を送信することができる、請求項１０に記載のシステム。
【請求項１５】
前記広告サーバ構成要素は、前記開催地に少なくとも部分的に基づいて、グループメンバのモバイル端末に広告を送信する、請求項１４に記載のシステム。
【請求項１６】
前記広告サーバ構成要素は、時刻に少なくとも部分的に基づいて、前記ユーザの無線端末にデータを送信する、請求項１０に記載のシステム。
【請求項１７】
前記広告サーバ構成要素は、前記無線端末上で動作するアプリケーションに少なくとも部分的に基づいて、前記ユーザの無線端末にデータを送信する、請求項１０に記載のシステム。
【請求項１８】
無線端末であって、
機能を無線端末上で起動する手段と、
前記無線端末から、前記機能に関連付けられた位置ベースサービスに登録する手段と、
前記機能のユーザプロフィールを作成する手段と、ここで、前記機能のユーザプロフィールを作成する手段は、少なくとも１つの所望の候補の特徴を特定する所望のプロフィールを作成することを含み、
前記無線端末によって、前記位置ベースサービスに登録された無線端末のユーザが利用できるグループイベントに登録する手段と、
前記グループイベントへの無線端末の登録及び前記無線端末又は前記グループイベントの地理的位置に基づいて、製品又はサービスの広告を提示する手段と、
アクティビティ地図を前記機能に関連付ける手段とを備え、
前記無線端末の地理的位置に基づいて広告を提示する手段は、前記関連付けられたアクティビティ地図上に示されている前記無線端末に基づき、前記アクティビティ地図は、他のアクティブユーザの位置履歴統計量の少なくとも１つのセット、又は、プロフィールに一致する少なくとも１つの候補を表示する、無線端末。
【請求項１９】
無線端末にソーシャルネットワーキングを提供する方法であって、
前記無線端末から、ソーシャルネットワーキングサービスに関連付けられた位置ベースサービスに登録することと、
前記無線端末によって、前記位置ベースサービスに登録された無線端末のユーザが利用できるグループイベントに登録することと、
ユーザプロフィールを作成することと、
候補の所望のプロフィールを作成することと、
位置と前記所望のプロフィールとに基づいて、少なくとも１つの候補を識別することと、ここで、前記位置は、前記ユーザによって確立されたアクティビティ地図の地理的範囲に基づき、
前記無線端末において、前記アクティビティ地図上に前記少なくとも１つの候補を表示することと、
前記無線端末において、前記グループイベントへの無線端末の登録および前記無線端末又は前記グループイベントの地理的位置に基づいて、製品又はサービスの広告を提示することと
を備える方法。
【請求項２０】
前記少なくとも１つの候補を表示することに応じて、前記候補の選択を受信することと、
前記選択された候補に前記選択を通知すること
を更に備える請求項１９に記載の方法。
【請求項２１】
前記通知に応じて、前記ユーザおよび前記選択された候補のための待ち合わせ場所をアレンジすることを更に備える、請求項２０に記載の方法。
【請求項２２】
前記製品又はサービスの広告を提示することは、前記アレンジされた待ち合わせ場所に関連付けられる、請求項２１に記載の方法。
【請求項２３】
前記少なくとも１つの候補を表示することは、前記アクティビティ地図上に、前記少なくとも１つの候補の現在位置を表示する、請求項１９に記載の方法。
【請求項２４】
前記少なくとも１つの候補を表示することは、前記選択された候補が選択されたことを、前記選択された候補に通知される前に、前記アクティビティ地図上に前記少なくとも１つの候補を表示する、請求項２０に記載の方法。
【請求項２５】
無線端末によって実行されると、前記無線端末に複数の動作を実行させる、プログラムコードを備える非一時的なコンピュータ読取可能媒体であって、前記コンピュータ読取可能媒体は、
前記無線端末から、ソーシャルネットワーキングサービスに関連付けられた位置ベースサービスに登録するためのプログラムコードと、
前記無線端末によって、前記位置ベースサービスに登録された無線端末のユーザが利用できるグループイベントに登録するためのプログラムコードと、
ユーザプロフィールを作成するためのプログラムコードと、
所望の候補のプロフィールを作成するためのプログラムコードと、
位置および前記所望のプロフィールに基づいて、少なくとも１つの候補を識別するためのプログラムコードと、ここで、前記位置は、前記ユーザによって確立されたアクティビティ地図の地理的範囲に基づき、
前記無線端末において、前記アクティビティ地図上に前記少なくとも１つの候補を表示するためのプログラムコードと、
前記無線端末において、前記グループイベントへの無線端末の登録および前記無線端末又は前記グループイベントの地理的位置に基づいて、製品又はサービスの広告を提示するためのプログラムコードと
を備えるコンピュータ読取可能媒体。
【請求項２６】
無線端末に広告を提供する方法であって、
ソーシャルネットワーキング機能のために、無線端末のユーザプロフィールを確立することと、
前記ソーシャルネットワーキング機能のために、ユーザが、前記ユーザによって所望される少なくとも１つの候補の特徴を特定する所望のプロフィールを確立することと、
前記ソーシャルネットワーキング機能に関連付けられた位置ベースサービスに登録された無線端末のユーザが利用できるグループイベントに前記無線端末を登録することと、
前記無線端末又は前記グループイベントの地理的位置と、更に前記グループイベントへの無線端末の登録とに基づいて、製品又はサービスのうちの少なくとも１つの広告を、前記無線端末において受信することと、
前記少なくとも１つの広告を前記無線端末のユーザに提示することと
を備える方法。
【請求項２７】
前記受信することは、前記無線端末と、前記グループイベントに同様に登録された少なくとも１つの他の無線端末との各々が、前記少なくとも１つの広告に関連付けられた製品又はサービスのプロバイダに地理的に近接して位置していることに応じて、前記製品又はサービスのうちの少なくとも１つの広告を受信する、請求項２６に記載の方法。
【請求項２８】
前記少なくとも１つの広告によって広告される製品又はサービスは、前記無線端末のユーザと、前記少なくとも１つの他の無線端末のユーザとの間でのソーシャルネットワーキングを容易にするように構成される、請求項２７に記載の方法。
【請求項２９】
前記少なくとも１つの広告に関連付けられた製品又はサービスのプロバイダは、ナイトクラブであり、
前記少なくとも１つの広告によって広告される製品又はサービスは、前記グループイベントに登録し、かつ、現在前記ナイトクラブにいる、前記ソーシャルネットワーキング機能のユーザが利用できる、割引料金の飲み物の特典に対応する、請求項２８に記載の方法。
【請求項３０】
無線端末に広告を提供する方法であって、
ソーシャルネットワーキング機能のために、無線端末のユーザプロフィールを確立することと、
前記ソーシャルネットワーキング機能のために、前記ユーザからの入力に基づいて、前記ユーザによって所望される少なくとも１つの候補の特徴を特定する所望のプロフィールを確立することと、
前記ソーシャルネットワーキング特徴に関連付けられた位置ベースサービスに登録された無線端末のユーザが利用できるグループイベントに前記無線端末を登録することと、
前記無線端末又は前記グループイベントの地理的位置を決定することと、
前記決定された無線端末又はグループイベントの地理的位置と、更に前記グループイベントへの無線端末の登録とに応じて、製品又はサービスのうちの少なくとも１つの広告を、前記ユーザのための提示するために、前記無線端末に送信することと
を備える方法。
【請求項３１】
前記送信することは、前記無線端末の地理的位置と、前記グループイベントに登録された少なくとも１つの他の無線端末とが両方とも、前記少なくとも１つの広告に関連付けられた製品又はサービスのプロバイダに近接していると判定することに応答して実行される請求項３０に記載の方法。
【請求項３２】
前記少なくとも１つの広告によって広告される製品又はサービスは、前記無線端末のユーザと、前記少なくとも１つの他の無線端末のユーザとの間のソーシャルネットワーキングを容易にするように構成される、請求項３１に記載の方法。
【請求項３３】
前記少なくとも１つの広告に関連付けられた製品又はサービスのプロバイダはナイトクラブであり、
前記少なくとも１つの広告によって広告される製品又はサービスは、前記グループイベントに登録し、かつ、現在前記ナイトクラブにいる、前記ソーシャルネットワーキング機能のユーザが利用できる、割引料金の飲み物の特典に対応する、請求項３２に記載の方法。
【請求項３４】
無線端末であって、
メモリと、
前記メモリに結合されたプロセッサと
を備え、前記プロセッサは、
無線端末において機能を起動し、
前記無線端末から、前記機能に関連付けられた位置ベースサービスに登録し、
前記機能のユーザプロフィールを作成し、ここで、前記機能のユーザプロフィールを作成することは、少なくとも１つの所望の候補の特徴を特定する所望のプロフィールを作成することを含み、
前記位置ベースサービスに登録された無線端末のユーザが利用できるグループイベントに登録し、
前記グループイベントへの無線端末の登録及び前記無線端末または前記グループイベントの地理的位置に基づいて、製品又はサービスの広告を提示し、
アクティビティ地図を前記機能に関連付ける
ように構成され、
前記無線端末の地理的位置に基づいて広告を提示することは、前記関連付けられたアクティビティ地図上に示されている前記無線端末に基づき、前記アクティビティ地図は、他のアクティブユーザの位置履歴統計量の少なくとも１つのセット、又は、プロフィールに一致する少なくとも１つの候補を表示する、無線端末。
【請求項３５】
広告サーバであって、
広告コンテンツを格納する手段と、
ユーザのプロフィール及び位置に基づいて、無線端末に前記広告コンテンツを配信する手段とを備え、
前記広告コンテンツを配信する手段は、無線端末ユーザが使用しているアプリケーションのタイプにのみ依存し、
前記無線端末は、位置ベースサービスで使用され、
アンテナと、
位置情報を含む無線信号を前記アンテナから送受信するように構成された全地球測位システム受信機と、
ターゲット広告を含む位置ベースサービスアプリケーションを、前記位置情報に基づいて操作するように構成されたプロセッサと、
前記位置情報に基づいて広告を表示するように構成されたディスプレイとを備え、
前記広告は、移動期間中及び待機期間中に表示される、広告サーバ。
【請求項３６】
前記ターゲット広告は、時刻に基づく、請求項３５に記載の広告サーバ。
【請求項３７】
前記全地球測位システム受信機は、前記位置情報をＧＰＳ衛星から受信する、請求項３５に記載の広告サーバ。